(57)【要約】【課題】かご室内に設けられた情報案内ユニットに施されている情報表示を乗客に明瞭に認識させることができるとともに、かご室内の意匠性を損なうことなくかご室に設置することができるエレベータの情報案内装置を提供する。【解決手段】表面に情報表示が施されたケース１９内に、その表面の情報表示を照光する光源としての冷陰極蛍光ランプ２８を収納してなる薄形の情報案内ユニット１８をエレベータのかご室１の側板に取り付ける。情報案内ユニット１８のケース１９は、反射板２１と透光板２２とならなり、透光板２２の表面に前記情報表示が施されている。ケース１９内には、冷陰極蛍光ランプ２８を支持する支持台２７、冷陰極蛍光ランプ２８を点灯させる安定器３０、この安定器３０に所定電圧の電力を供給する変電圧器３１が設けられている。【選択図】    図５
2004203614.tif 000002
【特許請求の範囲】
【請求項１】
エレベータのかご室と、
このかご室に設けられ、表面に案内情報が施されたケース内に、その表面の案内情報を照光する光源としての冷陰極蛍光ランプを収納してなる情報案内ユニットと、
を具備することを特徴とするエレベータの情報案内装置。
【請求項２】
前記冷陰極蛍光ランプの点灯による光を導光体を介して前記ケースの表面に照射させることを特徴とする請求項１に記載のエレベータの情報案内装置。
【請求項３】
前記情報案内ユニットはマグネットによる磁気吸引力、または吸盤による真空吸着力を介して前記かご室に取り付けられていることを特徴とする請求項１または２に記載のエレベータの情報案内装置。
【請求項４】
前記情報案内ユニットは、前記かご室に着脱可能に取り付けられていることを特徴とする請求項１ないし３のいずれかに記載のエレベータの情報案内装置。
【請求項５】
請求項１に記載の冷陰極蛍光ランプに替えて、発光ダイオードおよび有機エレクトロルミネッセンスのうちの少なくともいずれか一方を光源として用いることを特徴とするエレベータの情報案内装置。
【発明の詳細な説明】
【０００１】
【発明の属する技術分野】
この発明は、エレベータのかご室内に乗り込んだ乗客に対して各種の情報を報知するエレベータの情報案内装置に関する。
【０００２】
【従来の技術】
例えば百貨店や大型スーパーマーケット等におけるエレベータにあっては、そのかご室内の乗客に各種の情報を報知するための情報案内ボードを備える情報案内装置が設けられている。
【０００３】
前記情報案内ボードの表面には、文字や記号、あるいはイラスト等による情報表示が施されている。そしてこの情報案内ボードは、がご室内の側板の表面に取り付けられている。
【０００４】
【発明が解決しようとする課題】
従来のこの種の情報案内ボードは、表面に情報表示が施された単なる板部材で、それ自体に発光機能がなく、表面の情報表示がかご室内の照明装置により照らされるだけであり、このためその情報案内ボードの存在が視覚上目立たず、情報を乗客にアピールする効果が薄いという難点がある。
【０００５】
そこで、情報案内ボードに、白熱ランプを光源とする照明ユニットを付設し、その光源の光で情報案内ボードの情報表示を明るく照らし、アピール効果を高める対策が採られる場合がある。
【０００６】
この場合、情報案内ボードの背面に照明ユニットを取り付けることになる。ところが、白熱ランプを光源とする照明ユニットは厚さが１００ｍｍ程度の厚形となり、したがってこの照明ユニット付きの情報案内ボードをかご室内の側板の表面に取り付けようとすると、その全体が側板の表面から大きく突出し、乗客にとって邪魔となり、またかご室内の意匠性が大幅に低下してしまう。
【０００７】
そこで、側板に開口を切欠形成し、その開口に照明ユニット付きの情報案内ボードを嵌め込み、情報案内ボードの表面と側板の表面とが面一となるように取り付けることが考えられる。
【０００８】
しかし、この場合には、情報案内ボードの背面の照明ユニットがかご室の側板の外側に大きく突出し、その突出部が昇降路内機器等と干渉してしまう恐れが生じ、これを避けるためには昇降路の断面積を拡張しなければならなくなる。
【０００９】
この発明はこのような点に着目してなされたもので、その目的とするところは、情報表示を乗客に明瞭に認識させることができるとともに、かご室内の意匠性を損なうことなくかご室に設置することができるエレベータの情報案内装置を提供することにある。
【００１０】
【課題を解決するための手段】
請求項１の発明は、エレベータのかご室と、このかご室に設けられ、表面に案内情報が施されたケース内に、その表面の案内情報を照光する光源としての冷陰極蛍光ランプを収納してなる情報案内ユニットとを具備することを特徴としている。
【００１１】
請求項２の発明は、前記冷陰極蛍光ランプの点灯による光を導光板を介して前記ケースの表面に照射させることを特徴としている。
【００１２】
請求項３の発明は、前記情報案内ユニットがマグネットによる磁気吸引力、または吸盤による真空吸着力を介して前記かご室に取り付けられていることを特徴としている。
【００１３】
請求項４の発明は、前記情報案内ユニットが、前記かご室に着脱可能に取り付けられていることを特徴としている。
【００１４】
請求項５の発明は、請求項１に記載の冷陰極蛍光ランプに替えて、発光ダイオードおよび有機エレクトロルミネッセンスのうちの少なくともいずれか一方を光源として用いることを特徴としている。
【００１５】
【発明の実施の形態】
以下、この発明の実施形態について図面を参照して説明する。
【００１６】
図１ないし図５には第１の実施形態を示してある。図１はエレベータのかご室１の側面視の断面構成図、図２はかご室１の平面視の断面構成図であり、このかご室１は、床板２、天板３、複数の側板４、一対の出入口柱５、出入口柱５間の出入口６、出入口６に設けられた出入口ドア７、かご室１内を照明するかご室照明装置８等を備えている。
【００１７】
そしてこの実施形態においては、かご室１の側板４に情報案内ユニット１８が設けられている。この情報案内ユニット１８は、図４および図５に示すように、扁平な箱形状をなすケース１９を備えている。
【００１８】
ケース１９は、反射板２１と透光板２２とならなり、反射板２１は開口部２４を有する薄箱型状をなし、前記開口部２４に光透過性の例えば合成樹脂で形成された透光板２２が嵌着され、この透光板２２の表面にかご室１内の乗客に報知する文字、記号、イラスト等からなる情報表示が施されている。
【００１９】
この情報表示は、透光板２２の表面に印刷等により直接施す場合であっても、透光性のフィルムに印刷し、そのフィルムを透光板２２の表面に貼り付けるような場合であってもよい。
【００２０】
反射板２１の内面の両端部には、一対の支持台２７が互いに対向して取り付けられ、これら支持台２７間に複数本、例えば３本の直管形の冷陰極蛍光ランプ２８が互いに所定の間隔をあけて平行に架設されている。
【００２１】
反射板２１の内面の一側部には、インバータ機能を有する安定器３０、および交流１００Ｖを直流２４Ｖの電圧に変換する変電圧器３１が取り付けられている。そして前記各冷陰極蛍光ランプ２８と安定器３０と変電圧器３１とが配線３２を介して電気的に接続され、配線３２の端部が反射板２１に形成された配線穴３３を通して反射板２１の外面側に導出されている。
【００２２】
前記冷陰極蛍光ランプ２８は、１ｍｍ〜６ｍｍ程度の直径を有する透光性放電容器と、この放電容器の両端部に封止された一対の冷陰極（図示せず）と、放電容器の内面に塗布された蛍光体（図示せず）と、放電容器内に封入された放電媒体（図示せず）とを備えている。この冷陰極蛍光ランプ２８は、陰極が加熱されることなく発光するため、点灯・消灯の回数によって寿命が左右されることはなく、単に発光時間に起因する要素だけで寿命が決まるという特性をもっている。また、この冷陰極蛍光ランプ２８は、電圧を印加すると即点灯し、発光までの時間的な遅れがないことも特徴の１つとなっている。
【００２３】
前記情報案内ユニット１８は、図１および図２に示すように、透光板２２の表面が側板４の表面とほぼ面一となるように、かご室１に取り付けられている。
【００２４】
すなわち、かご室１の側板４の一部には、情報案内ユニット１８の外形形状に対応する開口３７が形成され、この開口３７に情報案内ユニット１８が嵌め込まれ、透光板２２の表面が側板４の表面とほぼ面一となるようにその位置が調整されている。そして側板４の外側に露出した情報案内ユニット１８の背面部が図３に示すようにブラケット３８を介して側板４に固定されている。
【００２５】
このように、かご室１の側板４に情報案内ユニット１８が取り付けられる。そしてこの情報案内ユニット１８内の変電圧器３１に、エレベータの運転を制御する制御装置（図示せず）から配線３２を通して交流１００Ｖの電源が供給され、その電圧が変電圧器３１により直流２４Ｖに変換され、この直流２４Ｖの電源が安定器３０に供給される。そして安定器３０による制御で各冷陰極蛍光ランプ２８が点灯し、所定の波長を有する光が放射される。
【００２６】
冷陰極蛍光ランプ２８から放射された光は、一部が直接透光板２２に入射し、他の一部が反射板２１で反射して透光板２２に入射し、これらの光により透光板２２が明るく照光され、その表面の情報表示が明るく明瞭に表示される。
【００２７】
したがって、かご室１内に乗り込んだ乗客は、情報案内ユニット１８の存在を視覚上即座に認識し、透光板２２の表面の情報表示を関心をもって観察するようになり、その情報内容のアピール度を高めることができる。
【００２８】
情報案内ユニット１８は、その光源として冷陰極蛍光ランプ２８が用いられている。冷陰極蛍光ランプ２８は前述したようにその直径が１ｍｍ〜６ｍｍ程度の細管であり、このためこの冷陰極蛍光ランプ２８を収納するケース１９を小型で薄形に構成することができる。
【００２９】
このため、情報案内ユニット１８をその透光板２２の表面がかご室１の側板４とほぼ面一となるように取り付けても、その情報案内ユニット１８の背面部が側板４の外側に大きく突出するようなことがない。したがって、その突出部が昇降路内の機器等と干渉するようなことがなく、このため昇降路の断面積を拡張するような必要もない。そして情報案内ユニット１８の透光板２２の表面とかご室１の側板４とをほぼ面一とすることにより、かご室１内の意匠性を良好に保つことができる。
【００３０】
情報案内ユニット１８の光源として用いられている冷陰極蛍光ランプ２８は、従来一般の蛍光ランプ（熱陰極蛍光ランプ）のように通電により高温となる陰極をもたず、このため寿命が１０００００時間という長寿命特性をもっている。このため、透光板２２の照光中に寿命で消灯するようなことがほとんどなく、またランプ交換期間を大幅に延ばすことができ、その保守管理が容易となる。
【００３１】
図６および図７には第２の実施形態を示してあり、この実施形態においては、情報案内ユニット１８がかご室１の側板４の内側表面に取り付けられている。情報案内ユニット１８を側板４の内側表面に固定する手段としては、図７（Ａ）に示すように、ブラケット４０を用いて固定する方式、あるいは図７（Ｂ）に示すように、マグネット４１を用い、そのマグネット４１の磁気吸着力で固定する方式、さらには図７（Ｃ）に示すように、吸盤４２を用い、その吸盤４２の真空吸着力で固定する方式等を採用することが可能である。
【００３２】
情報案内ユニット１８をかご室１の側板４の内側表面に取り付けた場合、その情報案内ユニット１８が側板４の表面側に突出するが、情報案内ユニット１８は前述したようにその光源が冷陰極蛍光ランプ２８であることから全体の構成が薄形であり、その突出量は小さく抑えることができ、このためかご室１内の意匠性を損なうことがない。
【００３３】
前記第１の実施形態においては、側板４に開口を切欠形成し、その開口に情報案内ユニット１８を嵌め込んで取り付けるようにしているが、エレベータを建屋に据え付けて実際の運行を開始した後に、側板４に情報案内ユニットを嵌め込むための開口を設けようとすると、かご室１の大幅な改造が必要となる。
【００３４】
ところが、この第２の実施形態においては、情報案内ユニット１８をかご室１の側板４の内側表面に取り付ける構成であるから、かご室１の改造が不要であり、エレベータを建屋に据え付けて実際の運行を開始した後であっても情報案内ユニット１８をかご室１に簡単に設置することができる。
【００３５】
情報案内ユニット１８を前述のマグネット４１を用いる方式や、吸盤４２を用いる方式で側板４に着脱可能に設けるようにすれば、既成のかご室１であっても、かご室１の改造を要することなく、必要に応じて情報案内ユニット１８をかご室１に設けることができる。
【００３６】
なお、情報案内ユニット１８は、かご室１の側板４に設ける場合に限らず、例えばかご室１の出入口の上方部に配設されている幕板に取り付けるような場合であってもよい。
【００３７】
前記各実施形態においては、情報案内ユニット１８のケース１９内に安定器３０と併せて変電圧器３１を組み込むようにしたが、安定器３０に対する入力電圧を、エレベータの運転を制御する制御装置の使用電圧と同じにすれば、ケース１９内への変電圧器３１の組み込みを省略することができる。
【００３８】
また、情報案内ユニット１８のケース１９内に導光体（導光板）を設け、冷陰極蛍光ランプ２８の点灯による光をその導光体により導いて、ケース１９の表面に向けて均等的に照射させるように構成することも可能である。
【００３９】
前記各実施形態においては、光源として冷陰極蛍光ランプを用いたが、その冷陰極蛍光ランプに替えてＬＥＤ（発光ダイオード）や有機ＥＬ（エレクトロルミネッセンス）を用いることも可能である。この場合、例えば複数の白色のＬＥＤや有機ＥＬの素子を適宜な形状のホルダ等に組み付けて棒状や二次元平面状等の形態にユニット化し、そのユニットをケース内に組み込んで情報案内ユニットを構成する。なお、１個のＬＥＤや有機ＥＬの素子を用いて棒状や二次元平面状等に構成することも可能である。
【００４０】
ケース内には、光源としてＬＥＤのみを組み込む場合であっても、有機ＥＬのみを組み込む場合であっても、あるいはＬＥＤと有機ＥＬとを適数ずつ組み合わせて組み込む場合であってもよい。
【００４１】
ＬＥＤや有機ＥＬは白色のものを用いる場合のほか、周囲環境、光量、使用時間帯、使用季節等に応じて他の色のものを用いることも可能であり、また複数の色のＬＥＤや有機ＥＬを混在させることも可能である。さらに、光源としてＬＥＤや有機ＥＬと併せて冷陰極蛍光ランプをケース内に組み込んで情報案内ユニットとして構成することも可能である。
【００４２】
なお、ＬＥＤや有機ＥＬを発光させる手段としては、従来一般に使用されている駆動制御装置を用いることは言うまでもない。
【００４３】
【発明の効果】
以上説明したようにこの発明の情報案内装置によれば、情報表示を乗客に明瞭に認識させ、そのアピール度を高めることができるとともに、かご室内の意匠性を損なうことなくかご室に設置することができる。
【図面の簡単な説明】
【図１】この発明の第１の実施形態を示す、エレベータのかご室の側面から見た断面構成図。
【図２】この発明の第１の実施形態を示す、エレベータのかご室の平面から見た断面構成図。
【図３】そのかご室の要部を拡大して示す断面図。
【図４】かご室に設ける情報案内ユニットの平面から見た断面図。
【図５】かご室に設ける情報案内ユニットの側面から見た断面図。
【図６】この発明の第２の実施形態を示す、エレベータのかご室の平面から見た断面構成図。
【図７】そのかご室に対する情報案内ユニットの取り付け構造の例を示す断面図。
【符号の説明】
１…かご室
２…床板
３…天板
４…側板
８…かご室照明装置
１８…情報案内ユニット
１９…ケース
２１…反射板
２２…透光板
２８…冷陰極蛍光ランプ
３０…安定器
３１…変電圧器
３７…開口
３８…ブラケット
４０…ブラケット
４１…マグネット
４２…吸盤
【図１】
2004203614.tif 000003
【図２】
2004203614.tif 000004
【図３】
2004203614.tif 000005
【図４】
2004203614.tif 000006
【図５】
2004203614.tif 000007
【図６】
2004203614.tif 000008
【図７】
2004203614.tif 000009